(57)【要約】【課題】【解決手段】可変チャネルに応じてセル再選択を制限する技術が開示される。一つの局面では、基地局からの受信されたパイロットパワーの測定が、チャネル品質の表示として使用される。別の局面では、ヒステリシスがセル再選択を制限するために加えられる。ここで、ヒステリシスは、相対的に高品質なチャネル環境で高く、相対的に低いチャネル品質環境では低い。その他様々な局面も表されている。これら局面は、セル再選択を低減する利点を持っているので、低パワーモードで消費される時間を増やし、従って、パワー消費を減らし、スタンバイ時間を長くする。
2005537752.tif 000002
【特許請求の範囲】
【請求項１】
サービングセルチャネル品質基準を生成するチャネル品質推定器と、
前記チャネル品質基準に応じて再選択しきい値を変えるプロセッサとを備えた装置。
【請求項２】
請求項１に記載の装置において、複数の隣接セルを位置決めし、対応する複数のチャネル品質基準を測定するサーチャを更に備え、前記対応するチャネル品質基準が前記再選択しきい値を越える時、前記隣接セルのうちの一つが再選択のために特定される。
【請求項３】
請求項２に記載の装置において、前記チャネル品質基準は、受信されたパイロットパワー測定値に応じて計算される。
【請求項４】
請求項３に記載の装置において、前記隣接セルがＧＳＭセルである時、前記受信されたパイロットパワー測定値は、キャリアＲＳＳＩ測定値である。
【請求項５】
請求項３に記載の装置において、前記隣接セルがＷ−ＣＤＭＡセルである時、前記受信されたパイロットパワー測定値は、パイロットＲＳＣＰ測定値である。
【請求項６】
請求項３に記載の装置において、前記隣接セルがＷ−ＣＤＭＡセルである時、前記受信されたパイロットパワー測定値は、干渉に対するチップ毎のパイロットエネルギー（ＥＣ／Ｉ０）測定値である。
【請求項７】
請求項１に記載の装置において、前記再選択しきい値は、前記サービングセルチャネル品質基準とヒステリシス値との合計である。
【請求項８】
請求項７に記載の装置において、前記ヒステリシス値は、
前記受信されたパイロットパワーが第１のパワーレベルよりも小さい場合に第１の値に設定され、
前記受信されたパイロットパワーが第２のパワーレベルよりも小さい場合には第２の値に設定され、
前記受信したパイロットパワーが前記第１及び第２の受信されたパイロットパワーレベルの間で変化するように、前記第１及び第２の値の間で線形的に変化する。
【請求項９】
サービングセルチャネル品質基準を生成するチャネル品質推定器と、
前記チャネル品質基準に応じて再選択しきい値を変えるプロセッサとを備えた無線通信デバイス。
【請求項１０】
無線通信デバイスを含む無線通信システムであって、
サービングセルチャネル品質基準を生成するチャネル品質推定器と、
前記チャネル品質基準に応じて再選択しきい値を変えるプロセッサとを備える。
【請求項１１】
セル再選択の方法であって、
セルチャネル品質基準を測定することと、
前記チャネル品質基準に応じて再選択しきい値を変えることとを備える。
【請求項１２】
請求項１１に記載の方法において、前記チャネル品質基準は、受信されたパイロットパワーの推定値に応じて計算される。
【請求項１３】
請求項１２に記載の方法において、前記チャネル品質基準は、受信されたパイロットパワーの推定値である。
【請求項１４】
請求項１２に記載の方法において、前記チャネル品質基準は、受信されたパイロットパワーにプログラム可能なオフセットを加えた推定値である。
【請求項１５】
請求項１２に記載の方法において、前記再選択しきい値は、前記チャネル品質基準とヒステリシスオフセットとの合計である。
【請求項１６】
請求項１５に記載の方法において、前記ヒステリシスオフセットは、受信された第１のパイロットパワーについては第１の値であり、受信された低パイロットパワーについては低い値である。
【請求項１７】
セル再選択の方法であって、
複数の隣接セルに対応する複数のチャネル品質基準を測定することと、
現在のサービングセルチャネル品質基準を測定することと、
前記サービングセルチャネル品質基準に応じてヒステリシスオフセットを計算することと、
前記ヒステリシスオフセットを前記サービングセルチャネル品質基準に加えることと、
前記複数の隣接セルと、ヒステリシス調整されたサービングセルチャネル品質基準とに対応して、前記複数のチャネル品質基準から最も高いチャネル品質基準を選択することと、
そのセルが現在のサービングセルと異なる場合、前記最も高いチャネル品質基準に関連付けられたサービングセルを再選択することとを備える。
【請求項１８】
請求項１７に記載の方法において、前記チャネル品質基準は、受信されたパイロットパワー測定値に応じて計算される。
【請求項１９】
セルチャネル品質基準を測定する手段と、
前記チャネル品質基準に応じて再選択しきい値を変える手段とを備えた装置。
【請求項２０】
複数の隣接セルに対応する複数のチャネル品質基準を測定する手段と、
現在のサービングセルチャネル品質基準を測定する手段と、
前記サービングセルチャネル品質基準に応じてヒステリシスオフセットを計算する手段と、
前記ヒステリシスオフセットを前記サービングセルチャネル品質基準に加える手段と、
前記複数の隣接セルと、ヒステリシス調整されたサービングセルチャネル品質基準とに対応して、前記複数のチャネル品質基準から最も高いチャネル品質基準を選択する手段と、
そのセルが現在のサービングセルと異なる場合、前記最も高いチャネル品質基準に関連付けられたサービングセルを再選択する手段とを備えた装置。
【請求項２１】
無線通信デバイスを含む無線通信システムであって、
セルチャネル品質基準を測定する手段と、
前記チャネル品質基準に応じて再選択しきい値を変える手段とを備える。
【請求項２２】
セルチャネル品質基準を測定することと、
前記チャネル品質基準に応じて再選択しきい値を変えることと
からなるステップを実行可能なプロセッサ読取可能な媒体。
【請求項２３】
複数の隣接セルに対応する複数のチャネル品質基準を測定することと、
現在のサービングセルチャネル品質基準を測定することと、
前記サービングセルチャネル品質基準に応じてヒステリシスオフセットを計算することと、
前記ヒステリシスオフセットを前記サービングセルチャネル品質基準に加えることと、
前記複数の隣接セルと、ヒステリシス調整されたサービングセルチャネル品質基準とに対応して、前記複数のチャネル品質基準から最も高いチャネル品質基準を選択することと、
セルが現在のサービングセルと異なる場合、前記最も高いチャネル品質基準に関連付けられサービングセルを再選択することと
からなるステップを実行可能なプロセッサ読取可能な媒体。
【発明の詳細な説明】
【技術分野】
【０００１】
本発明は、一般に通信に関し、特に、パイロットパワーに基づいて制限されたセル再選択のための斬新でかつ改善された方法及び装置に関する。
【背景技術】
【０００２】
無線通信システムは、音声、データ等のような様々な種類の通信を提供するために広く用いられる。これらシステムは、符号分割多元接続（ＣＤＭＡ）、時分割多元接続（ＴＤＭＡ）、又はその他の変調技術に基づいている。ＣＤＭＡシステムは、増大されたシステム能力を含め、他の種類のシステムに対して一定の利点を提供する。
【０００３】
ＣＤＭＡシステムは、以下の（１）から（４）に示すような一つ又は複数のＣＤＭＡ規格をサポートするように設計される。すなわち、（１）「TIA/EIA/IS-95-B Mobile Station-Base Station Compatibility Standard for Wideband Spread Spectrum Cellular System」（ＩＳ−９５規格）。（２）「3rd Generation Partnership Project」（第三世代パートナシッププロジェクト）（３ＧＰＰ）と名付けられたコンソーシアムによって提案され、文献番号3G TS 25.211、3G TS 25.212、3G TS 25.213、及び3G TS 25.214を含む一組の文献に具体化された規格（Ｗ−ＣＤＭＡ規格）。（３）「3rd Generation Partnership Project 2」（第三世代パートナシッププロジェクト２）（３ＧＰＰ２）と名付けられたコンソーシアムによって提案され、"C.S0002-A Physical Layer Standard forcdma2000 Spread Spectrum Systems"、"C.S0005-A Upper Layer (Layer 3) Signaling Standard for cdma2000 Spread Spectrum Systems"、及び"C.S0024 cdma2000 High Rate Packet Data Air Interface Specification"を含む一組の文献に具体化された規格（ｃｄｍａ２０００規格）。（４）その他の幾つかの規格。ＣＤＭＡではないシステムは、ＡＭＰＳ及びＧＳＭシステムを含む。
【０００４】
移動局が初めにシステムを取得するとき、一つ又は複数の利用可能な基地局又はセルが、移動局によって特定される。一般に、単一のセルはサービングセルとして選択される。移動局が音声コール又はデータセッションをアクティブに通信していない時、アイドルモードにあると言われる。移動局は、サービングセルからの信号を監視して、到来するコールのようなイベントが、移動局がアイドルモードから出る必要があるかを判定する。サービングセルと移動局との間の通信チャネルが変化すると、この移動局は、セル選択が未だに適切であるかを判定するために、チャネルを周期的にテストしなければならない。例えば、移動局が、システム内のセル間、或いは一つ又は複数の隣接システム間で移動すると、通信チャネルは変わるであろう。時々、新たなサービングセルが選択されるであろう。この処理は、Ｗ−ＣＤＭＡではセル再選択として、ＩＳ−９５又はｃｄｍａ２０００ではアイドルモードハンドオフとして知られている。
【０００５】
アイドルモードの間、移動局は、低パワー状態、即ち「スリープ」状態に入り、パワー消費を低減する。移動局は、スリープ状態の間、受信を中断し、受信回路をディセーブルにする。周期的に、移動局は、スリープ状態から抜け出て「ウェイクアップ」し、サービングセルを再取得し、そこからの信号を監視して、到来するコールが自己に向けられているかを判定する。この時間の間、セル再選択が必要かを判定するためにセル再選択処理が実行される。パワーを節約するために、移動局は、もしもアイドルモードにとどまる必要があるならば可能な限り早くスリープ状態に戻ることが望ましい。もしもセル再選択が実行されれば、再選択を処理するために、移動局はより長くアウェイクするであろう。
【０００６】
例えば、システム内での移動局の移動、あるいは経験した干渉における変化によってチャネル条件が変化すると、サービングセルは、それに従って適応される必要がある。いかなる所定の時間であっても、二つ又はそれ以上の基地局は、同等の品質基準を持っている。チャネル環境における些細な変化は、これら基地局のランキングの変化をもたらしうる。しかしながら、現在のセルに対して同等な品質を持つセルを再選択することは、最小限の改良を生み出すのみであるか、あるいは全く何も生み出さない。セル再選択は、スリープに戻る前に必要とされる時間を増やすので、最小限の改良、又は全く改良をもたらさない再選択を制限することが望ましい。
【０００７】
更に、チャネルの相対的品質の変化は、セル再選択に対する要望における変化をもたらす。相対的に良いチャネル環境では、セル再選択は、あまり好ましいことではない。なぜならば、現在のサービングセルは、十分な通信品質を提供しているからである。一方、相対的に貧弱なチャネル環境では、セル再選択からのゲインは、通信性能を改良しうる。従って、セル再選択を制限することは、チャネル品質条件を変化させるために適切に適応されており、低パワー、すなわちスリープモードで費やされる時間を伸ばすことができるので、アイドルモードパワーを低減し、スタンバイ時間を増加させる。従って、当該技術分野では、可変チャネルに応じてセル再選択を制限する必要がある。
【発明の開示】
【０００８】
ここで開示する実施例は、可変チャネルに応じてセル再選択を制限するための必要性に対処する。一つの局面では、基地局から受信されたパイロットパワーの測定値が、チャネル品質の表示として使用される。別の局面では、セル再選択を制限するためにヒステリシスが適用される。ヒステリシスは、比較的高い品質チャネル環境では高く、比較的低いチャネル品質環境では低い。その他様々な局面もまた表されているこれらの局面はセル再選択を低減する利点をもっているので、低パワーモードで費やされる時間を伸ばし、パワー消費を低減するとともに、スタンバイ時間を長くする。
【０００９】
本発明は、以下に詳述するように、本発明の種々の局面、実施例、及び特徴を実現する方法及びシステム要素を提供する。
【発明を実施するための最良の形態】
【００１０】
本出願は、２００２年８月２７に出願され、"WCDMA PHYSICAL LAYER REQUIREMENTS FOR CELL SELECTION AND RESELECTION."と題された米国仮出願番号６０／４０６，４５５号の利益を要求する。
【００１１】
本発明の特徴、特性、及び利点は、同じ参照符号が全体を通じて対応するように特定している添付図面とあわせて記載された以下の詳細技術からより明らかとなろう。
【００１２】
図１は、一つ又は複数のＣＤＭＡ規格及び／又は設計（例えば、Ｗ−ＣＤＭＡ規格、ＩＳ−９５規格、ｃｄｍａ２０００規格、ＨＤＲ仕様）をサポートするように設計された無線通信システム１００のブロック図である。別の実施例では、システム１００は、例えばＧＳＭシステムのようにＣＤＭＡシステム以外の任意の無線規格又は設計を適用しうる。典型的な実施例では、システム１００は、ＧＳＭ規格のみならずＷ−ＣＤＭＡ規格にも対応している基地局を含んでいる。
【００１３】
簡略のために、システム１００は、二つの移動局１０６と通信している三つの基地局１０４を含むように示されている。基地局およびそのカバーエリアは、しばしば集合的に「セル」と称される。ＩＳ−９５システムでは、セルは一つ又は複数のセクタを含む。Ｗ−ＣＤＭＡ仕様では、基地局の各セクタ、及びセクタのカバーエリアは、セルと称される。ここに使われるように、基地局という用語は、アクセスポイント又はＮｏｄｅＢという用語と区別無く使うことができる。移動局という用語は、ユーザ機器（ＵＥ）、加入者ユニット、加入者局、アクセス端末、遠隔端末、又は当該技術分野で知られたその他の対応する用語と区別無く使うことができる。移動局という用語は、固定型無線アプリケーションを含む。
【００１４】
実装されているＣＤＭＡシステムに基づいて、各移動局１０６は、あらゆる所定の瞬間において、順方向リンクで一つ（可能ならばそれ以上）の基地局と通信し、この移動局がソフトハンドオフしているか否かに基づいて、逆方向リンクで一つ又は複数の基地局と通信する。順方向リンク（即ちダウンリンク）は、基地局から移動局への送信を称し、逆方向リンク（即ちアップリンク）は、移動局から基地局への送信を称する。
【００１５】
明確化のために、本発明の記述に用いられる例は、基地局を、信号の発信者と、移動局を、これら信号、すなわち順方向リンク上の信号、の受信者及び取得者とそれぞれ仮定している。当該技術分野における熟練者であれば、移動局は基地局と同様にここで記載されているようにデータを送信できるように装備され、本発明の局面は、このような状況も同様に適用していることを理解するであろう。「典型的」という用語は、ここでは、例、インスタンス、例示として役立つことを意味するように限定的に使用される。「典型的」と記載されたあらゆる実施例とともに、他の実施例に対して好適であるとも有利であることも解釈される必要性は必ずしもない。
【００１６】
上述したように、セル選択とは、移動局が、特定のシステムの適切なセルを選択できるようにする処理である。移動局はまず（例えば、起動中に）システムにアクセスし、これを用いて通信を確立するために、あるセル選択条件に従って基地局又はサービングセルを選択する。移動局は、アイドルモードにありうる。つまり、進行中のアクティブなコールも、データセッションもない。アイドルモードでは、移動局は、とりわけ、到来するコールが移動局に向けられているかを判定するために、サービングセルを間欠的に監視する。一般的な無線通信システムでは、移動局が、アイドルモードにある間に、単一のセルとの通信を維持するか、又は、単一のセルを「キャンプ」オンする。周期的に、移動局は、選択条件が未だ満足しているかを判定するためにサービングセルを監視することができる。周りを取り巻く基地局は、移動局が別のセルに対する再選択を試みるべきかを判定するために監視される。セル再選択は、移動局が現在のサービングセルよりもより「適切な」セルを検出し、キャンプオンすることを可能にする処理である。セル再選択は、Ｗ−ＣＤＭＡ規格で使用される用語であり、この処理は、ＩＳ−９５又はＩＳ−２０００システムにおけるアイドルハンドオーバに類似している。これら三つの典型的なシステムの各々では、セル選択と再選択とは、移動局によって自律的に完了される。従って、移動局は、現在のサービングセルを適切に更新しながら、システム内の移動局と種々のセル又は基地局との間で必要とされる最小量の信号で、様々なシステムの中、及び間でロームすることができる。
【００１７】
移動局は、一般に、現在の位置の中及び周囲における基地局又はセルの様々なリストを管理する。アクティブセットは、移動局が通信しているセルのセットである。本発明の範囲内では、アクティブセットは、任意数のセルを含むことができるが、移動局がアイドルモードにある一方で、アクティブセットが唯一のセル、すなわちサービングセルのみを含むことが一般的である。隣接セルのリストは、隣接リストに保持される。周期的に監視されるべきセルのセットは、例えば、サービングセルがもはや選択条件を満足しなくなったときに、監視リストに保持されることができる。アクティブセット、隣接リスト、監視リスト等を決定するための様々な技術は当該技術分野では良く知られている。そして、そのような技術は、本発明の範囲内で使いこなされる。
【００１８】
図１では、移動局１０６が、例えば上述したような一つ又は複数の規格に対応している一つ又は複数の通信システム１００と動作可能である。システム規格は一般にセル選択、再選択等の要求を提供する。いくつかの場合では、手続きは直接的には特定されないが、性能基準は説明されている。それは、このシステム内で基地局又は移動局によって守られねばならない。Ｗ−ＣＤＭＡ規格に対応し、複数のシステムフォーマット（Ｗ−ＣＤＭＡとＧＳＭとを含む）と動作可能な典型的なセル選択手続きは、図５及び図６に関連して以下に示される。しかしながら、本発明の原理は、Ｗ−ＣＤＭＡシステムに限定されず、任意の通信システムに適用可能である。移動局にとってパワー消費を最小にすることは一般に望ましい。これは、所定のバッテリー構成について増加したスタンバイ又は「会話」時間を与え、低減されたコスト及び／又は小型化されたバッテリーを与える。議論のために、この実施例は、低パワー動作が好ましいアイドルモード動作のコンテクストで記載される。典型的なＷ−ＣＤＭＡ実施例では、（ここで定義された）セル再選択はアイドルモードの間に起こる。アクティブモード動作は、異なる手続きのセットに従って、セルハンドオフを提供する。しかしながら、この区別は、議論の明確性のみのためである。当該技術分野における熟練者は、ここで開示された原理を、セル再選択を制限することが望ましい任意のシステム又はモードに容易に適応させるであろう。
【００１９】
典型的なＷ−ＣＤＭＡ実施例では、移動局は「スリープ」モードに入ることができる。これは、ここでいうアイドルモードという用語と相互交換可能である。スリープモードでは、到来するコール又はデータ送信を移動局が受信又は開始するまで、移動局は、一つ又は複数の不連続受信（ＤＲＸ）サイクルを通じて配列している。各ＤＲＸサイクルの間、移動局は、スリープに入り、不連続受信になり、可能な限り多くの回路をディセーブルにして、低パワー状態を実現する。例えば、無線周波数（ＲＦ）及びベースバンド処理要素は、この時間の間、停止される。各ＤＲＸサイクルの間、移動局は、「ウェイクアップ」し、現在のサービングセルを監視する。もしも通信チャネルが変わったか、又は基地局と移動局との間のタイミングがドリフトしたならば、移動局は、サービングセルをサーチし、位置決めする必要がある。サービングセルは、選択条件がまだ満足しているかを判定するために測定されることが可能である。周期的に、この監視されたセットは、再選択が要求されているかを判定するためにサーチされる必要がある。現在のサービングセルが一旦位置決めされ（そして、再選択を通じておそらく更新され）ると、移動局は、サービングセル（例えばページングチャネル）を監視し、もしもアクティブな通信が必要とされなければ次のＤＲＸサイクルのためにスリープに戻ることができる。移動局がアウェイクのままでなければならない間、ＤＲＸサイクルの部分を減らすことによって、対応するパワーの節約が可能となる。セル再選択は追加時間をとるので、移動局がアウェイクである間は、セル再選択を、再選択が実質的な利益をもたらす時のみに制限することによってパワーを低減することができる。ここで記述された実施例は、セル再選択制限を提供する。これは、移動局によって経験された通信チャネル内の変化に動的に適応する。
【００２０】
典型的な実施例では、Ｗ−ＣＤＭＡ及びＧＳＭ規格に含まれる特徴を表すシステムが使用される。当該技術の熟練者であれば、ここで開示された原理は、様々な代替システムに拡張されうることが理解できよう。
【００２１】
図２は、移動局１０６の実施例の一部を示している。信号はアンテナ２１０で受信され、受信機２２０に送られる。受信機２２０は、例えば上記にリストした携帯規格のような一つ又は複数の無線システム規格に従った処理を実行する。受信機２２０は、無線周波数（ＲＦ）のベースバンドへの変換、増幅、アナログ／デジタル変換、フィルタリング等の様々な処理を実行する。受信のための様々な技術が当該技術分野で知られている。受信機２２０の構成要素の幾つか又は全ては、アイドルモードでスリープしている間に、パワーを保存するためにディセーブル又は低パワー状態にされることができることに留意されたい。
【００２２】
移動局１０６は、基地局に関連付けられたパラメータに従って、受信機２２０を調整することにより基地局１０４と通信することができる。受信機２２０は、別のシステムのものを含む別の周波数におけるセルのチャネル品質を測定するために別の周波数に周期的に調整するように命令される。（後述する）議論を明確にするために、図２には、別個の信号強度推定器２８０が示されているが、受信機２２０は、隣接する基地局と同様、現在のサービングセルのチャネル品質を測定するためにも使用される。
【００２３】
受信機２２０からの信号は、一つ又は複数の通信規格に従って復調器２３０で復調される。典型的な実施例では、Ｗ−ＣＤＭＡ及びＧＳＭ信号を復調できる復調器が使用される。例えばＩＳ−９５又はｃｄｍａ２０００のような付加的な規格も、別の実施例でサポートされうる。復調器２３０は、ＲＡＫＥ受信、イコライジング、結合、逆インタリーブ、デコード、及び受信信号のフォーマットによって必要とされるその他の様々な機能を実行する。当該技術分野では、様々な復調技術が知られている。
【００２４】
メッセージデコーダ２４０は、復調されたデータを受信し、一つ又は複数の基地局１０４を介してシステム１００によって移動局１０６に向けられた信号又はメッセージを抽出する。メッセージデコーダ２４０は、システムにおけるコール（音声又はデータセッションを含む）を設定、維持、及びティアダウンするのに使用される様々なメッセージをデコードする。メッセージは隣接セル情報を含む。メッセージは、以下に詳述するように、セル選択及び再選択に使用されるための様々なパラメータを含む。その他の様々なメッセージタイプも当該技術で知られており、サポートされている様々な通信規格で特定されている。このメッセージは、次の処理に使用されるためにプロセッサ２６０に渡される。説明の明確化のためにディスクリートなブロックが示されているが、メッセージデコーダ２４０の幾つか又は全ての機能は、プロセッサ２６０内で実行される。
【００２５】
受信機２２０からの信号は、サーチャ２５０にも向けられている。サーチャ２５０は、サービングセル及び隣接セルを含む移動局に利用可能な様々なセルの位置決めをするために使用することもできる。サーチャ２５０は、セルをサーチし、これらセルに関連したチャネル品質基準をプロセッサ２６０に示すようにプロセッサ２６０によって命令される。サーチ結果は、セル選択又は再選択に使用されるのと同様に、復調器２３０に対して様々な信号を復調するよう命令するために使用することができる。サーチャ２５０は、移動局１０６によってサポートされた任意のタイプのシステムにおけるセルのサーチをサポートするために使用される。
【００２６】
信号強度推定器２８０は、受信機２２０に接続されており、例えば復調のように、通信で使用されるその他の処理で用いられるのと同様に、セル選択又は再選択処理で使用されるための種々のパワーレベル推定を行うために使用される。信号強度推定器２８０は、説明の明確化だけのためにディスクリートなブロックとして示されている。このようなブロックが、例えば受信機２２０や復調器２３０のような別のブロックに組み込まれることは一般的である。推定されるシステムタイプ又は信号に依存して、様々なタイプの信号強度推定器が作られうる。典型的な実施例では、一つ又は複数の基地局からの様々なパイロット信号は、後述するように信号強度推定のために使用される。一般に、本発明の範囲内で、任意のタイプのチャネル品質基準推定ブロックを信号強度推定器２８０の代わりに使用することができる。後述するように、チャネル品質基準は、セル選択又は再選択に使用するためにプロセッサ２６０に渡される。
【００２７】
受信されたデータは、その他の様々な構成要素に対するのと同様に、音声又はデータの通信に使用されるためにプロセッサ２６０に送信される。移動局１０６は、一般に、データを一つ又は複数の基地局に送信するための送信及び変調要素が備えられている。音声通信又はデータアプリケーションをサポートするための追加要素は、当該技術分野で良く知られており、図示していない。
【００２８】
プロセッサ２６０は、汎用マイクロプロセッサ、デジタル信号プロセッサ（ＤＳＰ）、又は特別用途プロセッサでありうる。プロセッサ２６０は、移動局によって必要とされるその他任意の処理と同様に、受信機２２０、復調器２３０、サーチャ２５０、信号強度推定器２８０、及びメッセージデコーダ２４０の機能の幾つか又は全てを実行する。プロセッサ２６０は、これらタスク（詳細については図示せず）を支援するために特別用途ハードウェアに接続されている。データ又は音声アプリケーションは、例えば外部接続されたラップトップコンピュータのように、移動局１０６に対して外部にあり、移動局１０６内の追加プロセッサ（図示せず）上で動作し、プロセッサ２６０上で自ら動作する。プロセッサ２６０は、メモリ２７０に接続されている。メモリ２７０は、データのみならず、ここに記載した様々な処理や方法を実行するための命令を格納するために使用することができる。当該技術における熟練者であれば、メモリ２７０は、プロセッサ２６０内にその全体又は一部が埋め込まれる一つ又は複数の様々なタイプのメモリ要素からなりうることを理解するであろう。
【００２９】
図３は、受信したパイロットパワーに基づきセル再選択を制限する方法の実施例を示している。典型的な実施例において、図３の方法は、各ＤＲＸサイクルの間に一度実行される。この処理は、受信がディセーブルされた期間の後に、ステップ３１０で始まる。受信された現在のアクティブセットのエネルギー、すなわち前のＤＲＸサイクルの間に使用されたアクティブセットが測定される。処理は判定ブロック３２０に進む。
【００３０】
判定ブロック３２０では、監視されたセットのサーチが必要であるか否かの判定がなされる。あるの条件のもとで、この測定されたアクティブセットのエネルギーが十分であれば、この監視されたセットの中に示された別の基地局の品質を判定する必要はなく、処理を終了することができる。セル再選択は全く必要とされず、現在のアクティブセットがアクティブセットであり続ける。もしも監視されたセットのサーチが示されるならば、処理はステップ３３０に進む。ステップ３３０〜３７０は、本発明の原理に従って、過渡な再選択を避けるために限定されたセル再選択判断のために使用することができる。例えば、その一例を図５及び図６を用いて後述するように、追加サーチの必要性を判定するための様々な技術が当該技術分野では知られている。知られている、又は将来開発されうるあらゆる技術が、ここで記載されたセル再選択方法とともに使用することができる。
【００３１】
ステップ３３０では、監視リスト内のスケジュールされた全てのセル上でサーチが実行される。そして、それぞれについてエネルギーが測定される。監視されたセットの定義は変わりうる。そして、利用可能なセルのサブセットがこのステップでサーチされる。例えば、現在の周波数、あるいは複数の周波数、あるいは複数のシステム（例えば隣接するＧＳＭセル）におけるセルのサブセットがサーチされる。ステップ３３０におけるサーチのための監視セルの望ましいセットを判定するための様々な方法が知られている。そのうちの一例が、図５及び図６を用いて後述されている。そして、本発明の範囲内で任意の方法が適用可能である。典型的な実施例では、監視リスト内の各セルのパイロットのエネルギーが測定される。一旦候補エネルギーのリストが測定されると、処理はステップ３４０に進む。
【００３２】
ステップ３４０では、現在のアクティブセットの測定エネルギーに、ヒステリシス値が加えられる。このヒステリシス値は、一つ又は複数の要素からなりうる。典型的な実施例では、ヒステリシス値の要素の一つが、アクティブセットの一つ又は複数のパイロットにおける測定エネルギーに応じて決定される。別の要素は例えば、このシステムによって移動局に信号伝送される。移動局によって測定されたように、現在のチャネル条件に応じて決定された少なくとも一つの要素を使用することによって、移動局によって見られるように、現在のアクティブセットの品質に応じてセル再選択が動的に適応される。従って、セル再選択は、条件が比較的貧弱なときにより好ましくなされ、これによって、より適切なセルの位置決めの可能性を増大させる。条件が比較的良いときには、再選択はあまり好ましく行われない。これによって、ほとんどあるいは全く改善をもたらさないセル再選択を避ける。
【００３３】
このヒステリシス値は、現在選択されたセルの受信信号強度の任意の関数でありうる。典型的な実施例では、ヒステリシス値Ｈｓは、式１に従って決定される。
【数１】
2005537752.tif 000003
【００３４】
ここで、Ｅｃｐ、ｓ／Ｉｏは、サーチャによって測定された共通パイロットチャネル（ＣＰＩＣＨ）の干渉に対するチップエネルギーＥｃ／Ｉｏ（ｄＢ）である。Ｈｓは、図４にプロットされている。当該技術分野における熟練者であれば、式１は単なる典型例であり、受信信号強度の任意の関数が、本発明の範囲内でヒステリシスを決定するために使用することができることを理解するであろう。
【００３５】
ステップ３４０において、現在選択されたセルのエネルギーに、ヒステリシス値が一旦加えられると、処理はステップ３５０に進む。ステップ３５０では、監視されたセット、及び現在のアクティブセットのセルエネルギーが、測定されたエネルギー（アクティブセルのヒステリシス修正されたエネルギーを含む）に従ってランク付けされる。処理は判定ブロック３６０に進む。判定ブロック３６０では、もしも修正された現在のアクティブセルのエネルギーが最も高くランク付けされたエネルギーであれば、セル再選択は必要とされず、処理は停止することができる。もしもそうでなければ、処理はステップ３７０に進み、ここから最も高いエネルギーが受信されたセルへのセル再選択を実行する。セル再選択が完了した後に、処理は終了する。
【００３６】
典型的な実施例では、図３を用いて記述された方法実施例は、各ＤＲＸサイクルの間一度実行される。移動局は、受信が活性化されていない間、低パワー状態から「ウェイクアップ」し、上述した方法に従ってセル再選択が要求されているかを判定し、必要とされる追加処理（例えば、到来するコールが移動局に向けられているのかを判定するためにページングチャネルを監視する）を実行し、しかる後に、適切であれば、別のＤＲＸサイクルのために低パワー状態に再び入る。つまり「スリープ」する。移動局に利用可能なチャネル情報に基づくセル再選択の減少によって、移動局は、高いパワー「アウェイク」状態に必要以上長くとどまることを回避することが可能となる。これによって、パワー消費を低減し、バッテリー寿命又はスタンバイ時間を増加させる。同時に、セル再選択は、移動局によって経験されたチャネル条件を変化させることに応じて適用されるので、移動局は、アイドルモードの間、適切な基地局との通信を維持する。
【００３７】
図５と図６とは、Ｗ−ＣＤＭＡとＧＳＭシステムとの両方と動作可能な移動局のために適切なセル選択の典型的な方法を示している。セル選択と再選択とは、式２と式３とで与えられているＳ基準であるＳｑｕａｌと、Ｓｒｘｌｅｖの計算に基づく。
【数２】
2005537752.tif 000004
【数３】
2005537752.tif 000005
【００３８】
ここで、Ｅｃｐ／Ｉｏは、サーチャによって測定されたＣＰＩＣＨ  Ｅｃ／Ｉｏ（ｄＢ）である。Ｑｑｕａｌｍｉｎは、必要とされるセルの品質レベルの最小値である。Ｅｃｐは、測定されたＣＰＩＣＨ受信信号コードパワー（ＲＳＣＰ）（ｄＢｍ）である。Ｑｒｘｌｅｖｍｉｎは、必要とされるセル内の受信レベルの最小値（ｄＢｍ）である。ＵＥ_ＴＸＰＷＲ_ＭＡＸ_ＲＡＣＨは最大パワーであり、ＵＥ又は移動局は、ランダムアクセスチャネル（ＲＡＣＨ）上で送信している時に使用する。Ｐ_ＭＡＸは、ＵＥ又は移動局の最大送信パワーである。
【００３９】
Ｗ−ＣＤＭＡ規格は、移動局がＤＲＸサイクル毎にＳ基準を計算することによってサービングセル上のセル選択を実行することを命令する。移動局は、この結果を監視し、セル選択のための条件が満足していることを確認することが期待されている。もしもセル選択標準Ｓが、連続したＤＲＸサイクルのプリセット番号Ｎに対するセル選択要求を満たさないのであれば、移動局が他のセルを測定することを制限する他のルールに関わらず、移動局は、隣接セル（すなわち監視リスト）上の測定を開始し、別のセルに対する再選択を試みるべきである。図５及び図６に示す典型的な方法実施例は、本発明の種々の局面と同様に、Ｗ−ＣＤＭＡ規格規定を含んでいる。この方法は、受信がディセーブルされている間、低パワー状態から出る移動局に続く各ＤＲＸサイクルの間に実行することができる。
【００４０】
この処理はステップ５０２で始まる。ステップ５０２では、アクティブセットのパイロットのエネルギーを位置決めし、測定するためにサーチが実行される。次に、ステップ５０４に進み、上記２式及び３式で与えられたＳ基準を計算する。次に判定ブロック５０６に進み、現在のアクティブセットに対するセル選択が失敗したかがテストされる。セル選択は、Ｓ基準、ＳｑｕａｌとＳｒｘｌｅｖとがゼロよりも小さいときに失敗する。この例では、セル選択がＮ個の連続したＤＲＸサイクルについて失敗すると、セル再選択を開始する。もしもセル選択が失敗しない場合、又は必須のＮサイクル失敗しない場合には、処理は判定ブロック５０８に進む。もしもセル選択がＮ個の連続したサイクルについて失敗した場合には、処理はステップ５１０に進み、再選択処理が開始される。
【００４１】
判定ブロック５０８では、判定ブロック５０６でテストされたように、たとえセル選択がＮ個の連続したＤＲＸサイクルに対して失敗しなくても、他の基準が満足していれば、セル再選択処理は開始される。当該技術分野の者には理解されようが、セル再選択処理を開始するために任意の測定基準を適用することが可能である。
【００４２】
典型的な実施例では、３つの別のタイプの監視されたセルが、セル再選択が進められるべきかを判定するためにサーチされるようにスケジュールされる（後述する）。もしもサービングセルのＳｑｕａｌ、Ｓｑｕａｌ，ｓがパラメータＳｉｎｔｒａｓｅａｒｃｈよりも下に下がれば、監視されたセルの周波数内測定がスケジュールされる。Ｓｉｎｔｒａｓｅａｒｃｈは、このシステムによって無線で特定される。典型的な実施例では、信号化されたＳｉｎｔｒａｓｅａｒｃｈとＳｍｉｎの最大値に設定することによってＳｉｎｔｒａｓｅａｒｃｈに発言権が設定されることに留意されたい。ここでは、Ｓｍｉｎが、ＣＰＩＣＨ  Ｅｃ／Ｎｏが−８ｄＢに設定されたＳｑｕａｌに対する式を用いて計算される。もしもＳｑｕａｌ，ｓがパラメータＳｉｎｔｒａｓｅａｒｃｈよりも下に下がれば、監視されたセルの周波数外測定がスケジュールされる。Ｓｉｎｔｒａｓｅａｒｃｈは、このシステムによって無線で信号伝送される。もしもＳｑｕａｌ，ｓがパラメータＳｉｎｔｅｒ−ＲＡＴよりも下に下がれば、代替の無線アクセス技術（ＲＡＴ）、即ち監視されたセルのＲＡＴ外測定がスケジュールされる。任意の別のシステムが本発明の範囲内でのサーチのためにスケジュールされうるが、ＲＡＴ外サーチの一例は隣接ＧＳＭセルをサーチすることである。監視されたセットは、任意の特定タイプのセルタイプを含む必要はない。監視されたセットは、３タイプのサブセットの任意の組み合わせを含む。丁度記載した３つのテストが満足であったにも関わらず、スケジュールされたセルのセットは、監視されたセットのサブセットでありうることになる。もしも上記基準のうちの何れかを満足する場合には、処理はステップ５１０に進み、後述するようにセル再選択が起こるかを判定する処理が開始される。上記いずれの基準も満足しない場合には、ステップ５５４に進み、無線リソースコントローラ（ＲＲＣ）が、セル再選択は必要ではないと信号化される。その後処理は停止することができる。
【００４３】
ステップ５１０では、スケジュールされた全ての周波数内、周波数外、及びＲＡＴ外の監視されたセルがサーチされる。どのセルがサーチされるかは、判定ブロック５０８に関連して記載された基準を用いて判定することができる。更には、もしもパラメータＳｉｎｔｒａｓｅａｒｃｈが全くシステムによって特定されなければ、監視リスト内の全ての周波数内セルがサーチされることを留意されたい。もしもシステムによってパラメータＳｉｎｔｒａｓｅａｒｃｈが全く特定されなかったのであれば、監視リスト内の全ての周波数外セルがサーチされる。もしもシステムによってパラメータＳｉｎｔｅｒ−ＲＡＴが全く特定されなかったのであれば、監視リスト内の全てのＲＡＴ外セルがサーチされる。処理はステップ５１２に進む。
【００４４】
ステップ５１２では、量Ｑｍｅａｓ，ｎが、監視リストからスケジュールされたｎ個の隣接セルに対して計算される。Ｑｍｅａｓ，ｎは、各隣接セルから受信された信号パワーの表示であり、典型的な実施例では、以下に示すように、二つの異なる方式で計算される。当該技術分野における熟練者であれば、任意のパワー測定表示が、本発明の範囲内において、この実施例を通じて使用することができることを認識するであろう。ステップ５１２の間、Ｑｍｅａｓ，ｎは、ｄＢｍで測定された絶対パワー測定である。これは、ＲＡＴ外隣接セル同様に、サービングセル、周波数内隣接セル、周波数外隣接セル間の結果を比較する時に役に立つ。それは、Ｗ−ＣＤＭＡセルについてはＣＰＩＣＨの受信信号コードパワー（ＲＳＣＰ）として、ＧＳＭセルについては受信信号強度表示（ＲＳＳＩ）として計算される。ＲＳＣＰは、Ｅｃ／Ｉｏ＋Ｉｏとして計算される。これは、複数周波数に亘った干渉レベルを変化させるための結果を規格化する。Ｑｍｅａｓ，ｎがサーチされた全ての隣接セルについて一旦計算されると、処理はステップ５１４に進む。あるいはＱｍｅａｓ，ｎは、ｄＢで測定されたＣＰＩＣＨ  Ｅｃ／Ｉｏとして計算することができる。これは、ステップ５４４に関連して以下に詳述される。
【００４５】
ステップ５１４では、サーチされたそれぞれのセルについて、Ｑｍｅａｓ，ｎ−Ｑｏｆｆｓｅｔｎとして定義されるランキング値Ｒｎを計算する。Ｑｏｆｆｓｅｔｎは、システムによって無線で特定され、ステップ５１２に示すように、ＣＰＩＣＨ  ＲＳＣＰ又はＲＳＳＩ（ＧＳＭセルの場合）が、Ｑｍｅａｓ，ｎを計算するために使用される場合、Ｑｏｆｆｓｅｔ１ｎに設定される。また、以下に述べるステップ５４４に示すように、Ｑｏｆｆｓｅｔｎは、ＣＰＩＣＨ  Ｅｃ／ＩｏがＱｍｅａｓ，ｎを計算するために使用される場合、Ｑｏｆｆｓｅｔ２ｎに設定される。Ｑｏｆｆｓｅｔ２は、Ｑｏｆｆｓｅｔ１についてはｄＢｍで、Ｑｏｆｆｓｅｔ２についてはｄＢで特定される。Ｑｏｆｆｓｅｔの使用は、望ましくないセル再選択の減少を支援しうる一方、特定のパラメータの使用は、規格によって特定されていない。したがって、これは、セル再選択を効率的に制限するために用いられていない。更にこれは、サービングセルと移動局との間の通信チャネルの現在の状態に敏感ではない。よって、これはセル再選択感度のレベルの変化を与えるために適用することはできない。処理は判定ブロック５１６に進む。
【００４６】
判定ブロック５１６は、ステップ５１４にどのように入ったかに依存する処理のための分岐を提供する。ステップ５１２で特定されるように、もしもＱｍｅａｓ，ｎがＲＳＣＰ（又はＲＳＳＩ）を用いて計算されるのであれば、処理はステップ５１８に進む。もしもそうでなければ、すなわち、ステップ５４４を通ってステップ５１４に来たのであれば、処理はステップ５３０に進む。
【００４７】
ステップ５１８では、ｎ＝０に設定される。
【００４８】
ステップ５２０〜５２６によって形成されるループでは、ｎは、サーチされた隣接セルの品質をテストするためのインデクスとして使用される。処理は判定ブロック５２０に進む。ここでは、上述した式２及び式３で定義されるＳ基準が、ｎ番目の隣接セルについて計算される。もしもｎ番目の隣接セルについてのＳｑｕａｌ又はＳｒｘｌｅｖがゼロよりも小さければ、その隣接セルは、セル選択基準を満足しない。Ｓｑｕａｌ，ｎは、ＧＳＭセルのために計算されないので、Ｓｒｘｌｅｖのためのテストは限定的に使用されることに留意されたい。処理はステップ５２２に進み、サーチされた隣接セルのリストから、セルが除去される。更に、タイマ値Ｔｓｒ，ｎがクリアされる。これは、セルが選択基準をどのくらい長く満足しているのかの表示であり、この用途については後述する。もしも隣接セルについてセル選択基準が満足しているのであれば、処理はステップ５２３に進み、Ｔｓｒ，ｎをインクリメントする。
【００４９】
ステップ５２２又はステップ５２３から、処理は判定ブロック５２４に進み、リストの中に更に隣接セルがあるかが判定される。もしあれば、処理はステップ５２６に進み、ｎをインクリメントし、判定ブロック５２０に戻り、次の隣接セルをセル選択基準を用いてテストする。もしなければ、処理はステップ５３０に進む。
【００５０】
ステップ５３０では、サービングセルについて、ランキング値Ｒｓを計算する。ＲｓはＱｍｅａｓ，ｓ＋Ｑｈｙｓｔにより計算される。ここでＱｍｅａｓ，ｓは、ステップ５１４又はステップ５４４で定義されるように、隣接セルを測定するために使用されるエネルギー基準を用いてサービングセルについて計算される。Ｑｈｙｓｔは、ランク付けのために使用された測定量がＣＰＩＣＨ  ＲＳＣＰであるときにＱｈｙｓｔ１に設定される。ここでＱｈｙｓｔ１はこのシステムによって無線で信号伝送される。Ｑｈｙｓｔは、測定量がＣＰＩＣＨ  Ｅｃ／Ｉｏである場合、Ｑｈｙｓｔ２とＨｓのうちの最大値に設定される。Ｑｈｙｓｔ２は、システムによって無線で信号伝送される。Ｈｓは、当該技術分野における熟練者に理解されようが、任意のヒステリシス式に従って計算することができる。典型的な実施例において、Ｈｓは式１に従って計算される。従って、この実施例では、システムは、無線でＱｈｙｓｔ２を供給することによってヒステリシスを導入することができる。しかしながら、このヒステリシス値の発言権は、Ｈｓによってもたらされる。図３を用いて記載するように、Ｈｓを用いることによって、セル条件を変えることに応じてセル再選択を制限することが可能となる。これは、チャネルが比較的良い場合には再選択を好ましくないものとし、チャネルが比較的貧弱な場合にはより好ましい。サービングセルについてランキング値Ｒｓが一旦計算されると、処理はステップ５３２に進む。
【００５１】
ステップ５３２では、ランキング値Ｒｓ，Ｒｎに従って、サービングセル、及び測定された隣接セルをランク付けする。処理はステップ５３４に進み、最も高いランクのセルを
最良のセル（以下、サブスクリプトｂｃを用いて示す）として選択する。処理は判定ブロック５３６に進む。
【００５２】
判定ブロック５３６では、もしも最良のセルが現在のサービングセルであれば、処理はステップ５５４に進み、上述したように、セル再選択は必要ではないことが示される。もしも最良のセルが、現在のサービングセル以外のセルである場合には、セル再選択がなされるべきかを判定するための更なるステップが設けられる。処理は判定ブロック５４０に進み、この処理の一部を開始する。
【００５３】
判定ブロック５４０では、もしも最良のセルがＧＳＭセルであれば、処理は判定ブロック５４６に進む。もしそうでなければ、処理は判定ブロック５４２に進む。
【００５４】
判定ブロック５４２では、もしもステップ５１４を通った前のパスがＱｍｅａｓ，ｎについてＣＰＩＣＨ  ＲＳＣＰを用いたのであれば、すなわちステップ５１４はステップ５１２から来られ、ランク付けされた監視リストの中に複数の周波数があるのであれば、このリストはＣＰＩＣＨ  Ｅｃ／Ｉｏを使って再びランク付けされる。この場合、処理は、ステップ５４４に進む。もしもステップ５４４が既に現在のＤＲＸサイクルについての処理の間に入っているか、あるいは監視されたセットに対応したランク付けリストに唯一の周波数しかないのであれば、処理は判定ブロック５４６に進む。ＲＳＣＰ＝Ｅｃ／Ｉｏ＋Ｉｏであることを思い出されたい。Ｉｏは、異なる周波数に亘って異なるかもしれないので、絶対パワーレベルが求められる時には、ＲＳＣＰを使ってこの相違を規格化する。もしもランク付けされたリストに唯一の周波数のみが使用されているのであれば、Ｅｃ／Ｉｏを用いた第２のパスは、ＲＳＣＰを用いて生成されたランキングを変えることはないであろう。
【００５５】
ステップ５４４では、正確に述べたように、ＣＰＩＣＨ  ＲＳＣＰは、Ｑｍｅａｓ，ｎのために使用される。処理はステップ５１４に進み、（上述したように、ステップ５１８〜５２４によって形成されるループ内のセル選択基準を失敗したセルに対して修正された）監視リストについてランキング値Ｒｎを再計算する。そして処理は判定ブロック５１６に進む。ここでは、ＲＳＣＰはもはやランク付けされたリストのために使用された測定値ではないので、ステップ５３０へのパスが採用される。監視されたセルと、（ステップ５３０においてヒステリシスを用いて修正された）サービングセルとは、ステップ５３２において再びランク付けされる。そして最良のセル選択が、ステップ５３４において再び行われる。場合によっては、別の最良のセルが用いられ、判定ブロック５３６及び恐らく判定ブロック５４０は、再び訪れられ、上述したように実行される。もしも現在のサービングセルが新たな最良のセルになれば、上述したように処理はステップ５５４に進み、セル再選択は必要とされない。もしも同じ最良のセル、あるいは現在のサービングセルとは異なる別の最良のセルが選択されるのであれば、処理はステップ５４６に進む。この処理は、もしもこの最良のセルがＧＳＭセルであれば判定ブロック５４０を通って分岐する。あるいは、もしもこの最良のセルがＧＳＭセルでなければ判定ブロック５４２を通って分岐する。この処理は、上述したように、この第２のパスの間、判定ブロック５４２からステップ５４４へは分岐しない。
【００５６】
上述したように、最良のセルがサービングセルとは異なる場合には、第２のパスが作られたにも関わらず、最良のセルがＧＳＭセルであろうとなかろうと、判定ブロック５４６に行く。判定ブロック５４６では、Ｔｓｒ，ｂｃは、パラメータＴｒｅｓｅｌｅｃｔｉｏｎよりも大きくなければならない。パラメータＴｒｅｓｅｌｅｃｔｉｏｎは、セルが、新たな現在のサービングセルとして選択される（再選択処理を経由して）前にセル選択基準を満足しなければならない最小時間を示している。Ｔｒｅｓｅｌｅｃｔｉｏｎは、システムから無線によって送信することができる。もしもＴｒｅｓｅｌｅｃｔｉｏｎによって示された最小時間が、最良のセルによって満足されるのであれば、処理はステップ５５２に進む。ステップ５５２では、ＲＲＣに対して、新たなサービングセルを最良のセルとして用いてセル再選択がなされねばならない表示がなされる。そして処理は停止することができる。
【００５７】
もしも最良のセルが、セル選択基準を満足するために必要な最小時間を満足しないのであれば処理はステップ５４８に進む。ステップ５４８では、ランク付けにしたがって、次の最良のセルが選択される。もしも次の最良のセルが現在のサービングセルであるならば、セル再選択は必要ではなく、上述するように、処理はステップ５５４に進み、その後終了する。もしも次の最良のセルが現在のサービングセルではないのであれば、処理は判定ブロック５４６に戻り、次の最良のセルのための最小時間要求がテストされる。ステップ５４６〜５５０によって形成されたループは、セルが再選択のために特定される（ステップ５５２に到達する）か、現在のセルが選択されるか、あるいはセル再選択が全く実行されなくなる（ステップ５５４に到達する）まで続く。
【００５８】
上述したように、図５及び図６に関連して記載した処理は、各ＤＲＸサイクルの間一度だけ実行することができ、これによって、Ｗ−ＣＤＭＡ規格の要求を満足し、ここに記載したヒステリシスの局面の利益を達成することができる。
【００５９】
図５及び図６に示された実施例は、本発明の局面を用いてセル再選択を制限する方法のほんの一例である。この特定の例は、複数のシステム、すなわちＷ−ＣＤＭＡ及びＧＳＭシステムと相互動作するように備えられた移動局に対するこれら局面の適用可能性を実証する。当該技術分野における熟練者であれば、図５及び図６に関連して教えられた原理を、将来において知られるものと同様に、当該技術分野で知られたものを含むシステム、パラメータ、及びヒステリシス式の任意数の組み合わせに容易に拡張するであろう。当該技術分野における熟練者であれば、図５及び図６の実施例は、図３に示されたより一般的な方法実施例のうちの一つの特定の例であることを理解するであろう。様々な変形例が、本発明の範囲内の何れかの実施例に対してなされ、当該技術分野における熟練者によって容易に適用可能であろう。
【００６０】
上述した全ての実施例では、方法ステップは、本発明の範囲から逸脱することなく相互交換可能であることが言及されるべきである。ここで開示された記載は、Ｗ−ＣＤＭＡ及びＧＳＭ規格に関連した処理、パラメータ、及び信号が用いられた多くのケースにおいて存在する。しかしながら、本発明の範囲は、そのようなものに限定されない。当該技術分野における熟練者であれば、本原理を、他の様々な通信システムに容易に適用するであろう。更に、チャネル品質基準は、ここで記載されたもの以外を使うことができ、様々な隣接セルからのパイロット信号、又は様々なセルと移動局との間のチャネル品質を示す基準のためのその他の信号を用いて測定される。これら及びその他の変形例は、当該技術分野における通常の熟練者にとっては明らかであろう。
【００６１】
当技術分野における熟練者であれば、これら情報および信号が、種々異なった技術や技法を用いて表されることを理解するであろう。例えば、上述した記載で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００６２】
これらの知識によって、ここで開示された実施例に関連する様々に例示された論理ブロック、モジュール、回路、およびアルゴリズムステップが、電子工学ハードウェア、コンピュータソフトウェア、あるいはこれらの組み合わせとして適用されることが更に理解されよう。ハードウェアとソフトウェアとの相互互換性を明確に説明するために、様々に例示された部品、ブロック、モジュール、回路、およびステップが、それらの機能に関して一般的に記述された。それら機能がハードウェアとしてあるいはソフトウェアとして適用されているかは、特有の応用例および全体システムに課せられている設計条件による。熟練した技術者であれば、各特定のアプリケーションに応じて変更することによって上述した機能を実施しうる。しかしながら、この適用判断は、本発明の範囲から逸脱したものと解釈すべきではない。
【００６３】
様々に示された論理ブロック、モジュール、および上述された実施例に関連して記載された回路もまた実装され、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）またはその他のプログラマブル論理デバイス、ディスクリートゲートあるいはトランジスタ論理、ディスクリートハードウェア部品、あるいは上述された機能を実現するために設計された何れかの組み合わせとともに実行されうる。
【００６４】
汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはその他の配置のような計算デバイスの組み合わせとして実装することも可能である。
【００６５】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭ、フラッシュメモリ、ＲＯＭ、ＥＰＲＯＭ、ＥＥＰＲＯＭ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣに収納することができる。ＡＳＩＣは、ユーザ端末内に収納することもできる。または、このプロセッサと記憶媒体が、ユーザ端末におけるディスクリートな部品として収納されることもある。
【００６６】
開示された実施例における上述の記載は、当該技術分野におけるいかなる人であっても、本発明の活用または利用を可能とするようになされている。これらの実施例への様々な変形例もまた、当該技術分野における熟練者に対しては明らかであって、ここで定義された一般的な原理は、本発明の主旨または範囲を逸脱しない他の実施例にも適用されうる。このように、本発明は、上記で示された実施例に制限されるものではなく、ここで記載された原理と新規の特徴に一致した広い範囲に相当するものを意図している。
【図面の簡単な説明】
【００６７】
【図１】図１は、多くのユーザをサポートすることができる無線通信システムの一般的なブロック図である。
【図２】図２は、セル選択及び再選択のために備えられた移動局の典型的実施例を示す。
【図３】図３は、セル再選択の方法の実施例のフローチャートである。
【図４】図４は、セル再選択方法とともに使用される受信パイロットパワーのヒステリシス関数のグラフを示す。
【図５】図５は、セル再選択の別の方法の実施例のフローチャートである。
【図６】図６は、セル再選択の別の方法の実施例のフローチャートである。
【図１】
2005537752.tif 000006
【図２】
2005537752.tif 000007
【図３】
2005537752.tif 000008
【図４】
2005537752.tif 000009
【図５】
2005537752.tif 000010
【図６】
2005537752.tif 000011
【国際調査報告】
2005537752.tif 000012
2005537752.tif 000013